【手続補正書】
【提出日】平成22年6月10日(2010.6.10)
【手続補正１】
【補正対象書類名】明細書
【補正対象項目名】全文
【補正方法】変更
【補正の内容】
【発明の詳細な説明】
【発明の名称】アイマスク
【技術分野】
【０００１】  本発明は、アイマスクに関し、特に、各眼マスク部間の連結部を前方に十分突出させて鼻からずり落ちないようにし、各眼マスク部の外側内面に遮光壁を設けて遮光し、顔面に装着した時の装着性を向上させると共に、一体成形によるコストダウンを達成するための改良に関する。
【背景技術】
【０００２】  従来、用いられていたこの種のアイマスクとしては、例えば、特許文献１に開示された構成を挙げることができる。
すなわち、一対の眼マスク部の外側内面には遮光壁がなく、各眼マスク部間を接続する連結部も突出量の少ない凸部で形成されていた。
【先行技術文献】
【特許文献】
【０００３】
【特許文献１】特開２００４−８７３６号公報
【発明の概要】
【発明が解決しようとする課題】
【０００４】  従来のアイマスクは、以上のように構成されているため、次のような課題が存在していた。
すなわち、各眼マスク部を連結する連結部の突出が小さい凸部であるため、通常のアイマスクの使用時、及びアイマスクを下へ下げて裸眼でみる場合に、鼻部への止まり具合が悪く、使用勝手がよくなかった。
また、各眼マスク部の外側内面が平坦のみであったため、目の目尻部分から外光が入りやすく、まぶしい等の弊害もあった。
また、各眼マスク部の外側内面の平坦部分がわずかであるため、顔面への装着性が十分でなく、外光が入り込むことがあった。
【課題を解決するための手段】
【０００５】  本発明によるアイマスクは、凸状に形成された連結部によって接続され複数の小孔を有し、全体形状がＣ字型をなす第１、第２眼マスク部と、前記第１、第２眼マスク部の側部から延出する平面内面部に各々接続されたつる部と、よりなるアイマスクにおいて、前記第１、第２眼マスク部の前記平面内面に手前方向に突出する一対の遮光壁を形成するとともに、前記連結部の各根元部が接続される前記第１、第２眼マスク部の輪状縁部の内側に各鼻当部を形成し、前記遮光壁と前記各鼻当部とが前記第１、第２眼マスク部に水平方向に配列された複数の小孔の両側になるよう配置した構成である。
【発明の効果】
【０００６】  本発明によるアイマスクは、以上のように構成されているため、次のような効果を得ることができる。
すなわち、各眼マスク部の平面内面に遮光壁が形成され、各眼マスク部の輪状縁部の内側に鼻当部が形成されているため、顔面への装着性が良好で、かつ、外部からの外光の入光を抑えることができ、快適な遮光状態を得ることができる。
【図面の簡単な説明】
【０００７】
【図１】  本発明によるアイマスクの正面図である。
【図２】  図１の断面図である。
【図３】  図２の一部の断面図である。
【図４】  図１の裏面図である。
【図５】  図１の平面図である。
【図６】  図５の顔面装着図である。
【図７】  図１の斜視図である。
【発明を実施するための形態】
【０００８】  本発明は、各眼マスク部間の連結部を前方に十分突出させて鼻からずり落ちないようにし、各眼マスク部の外側内面に遮光壁を設けて遮光し、顔面に装着した時の装着性を向上させると共に、一体成形によるコストダウンを達成したアイマスクを提供することを目的とする。
【０００９】  以下、図面と共に本発明によるアイマスクの好適な実施の形態について説明する。図１において符号１で示されるものはアイマスクであり、このアイマスク１は、主として、凸半球状の表壁５を有する第１、第２眼マスク部２、３、連結部１Ａ、複数の小孔４、各眼マスク部２、３に形成された凸形部２Ａ、３Ａ、凹形部２Ａ″、３Ａ″、各眼マスク部２、３の外側に外端小孔部１２に設けられた軸支１２Ａを介して設けられた一対のつる部１１、つる部１１に設けられたＯリング１５により構成されている。
【００１０】  前記連結部１Ａは、従来の連結部１Ａよりも前方へ大きく突出する凸状で形成され、その形状は、図５に示されるように、その各根元部１Ａの間の根元間隔Ｄ１に対して少なくとも１／２又はそれ以上（実験の結果、この範囲が良好である）となる突出高さＨを有するように構成され、図６で示されるように、連結部１Ａが鼻２０で止まるように構成されている。
すなわち、アイマスク１を顔面に装着した場合、及びアイマスク１を下方にずらす時に、鼻２０と係合してずり落ちが防止でき、また、アイマスク１を下方にずらせて裸眼で外をみる時も連結部１Ａが鼻２０に係合し、ずり落ちが防止される。
【００１１】  また、前記つる部１１の後部の溝１４内に係合されたＯリング１５は、アイマスク１を顔面に装着した場合の、ずり落ち防止に効果的である。
【００１２】  前記各眼マスク部２、３の内面に形成された輪状縁部６には、その内側に各鼻当部１７が形成されていると共に、その外側内面には、全体形状がＣ字型をなす平面内面部６Ａが形成され、この各平面内面部６Ａにはこれと連通して手前方向（すなわち、前記平面内面部６Ａに対して直交する内方）に突出して形成された遮光壁１６が形成されている。
【００１３】  従って、前述の各眼マスク部２、３、連結部１Ａ、各遮光壁１６等は、樹脂による一体成形で形成され、形状寸法も高精度に仕上げられると共に、安価に作ることが可能である。
【００１４】  前述のアイマスク１を顔面に装着すると、各眼マスク部２、３の輪状縁部６及び平面内面部６Ａが顔面に確実に接合して装着されると共に、各遮光壁１６により外部からの外光の入光が防止され快適な装着状態を得ることができる。
また、前記連結部１Ａが前述のように構成されているため、連結部１Ａが鼻２０に接合して係合し、ずり落ち等を防止することができる。
【産業上の利用可能性】
【００１５】本発明によるアイマスクは、顔面への装着性が良好で、かつ、外部からの外光の入光を抑えることができ、快適な遮光状態を得ることができる。
【符号の説明】
【００１６】  １              アイマスク
１Ａ            連結部
１Ａａ          根元部
２              第１眼マスク部
３              第２眼マスク部
２Ａ、３Ａ      凸形部
２Ａ″、３Ａ″  凹形部
４              小孔
５              表壁
Ｄ              深さ
６              輪状縁部
６Ａ            平面内面部
１１              つる部
１２              外端小孔部
１２Ａ            軸支
１４              溝
１５              Ｏリング
１６              遮光壁
１７              鼻当部
２０              鼻
Ｄ１              根元間隔
Ｈ                突出高さ
【手続補正２】
【補正対象書類名】特許請求の範囲
【補正対象項目名】全文
【補正方法】変更
【補正の内容】
【特許請求の範囲】
【請求項１】
凸状に形成された連結部（１Ａ）によって接続され複数の小孔（４）を有し、全体形状がＣ字型をなす第１、第２眼マスク部（２、３）と、前記第１、第２眼マスク部（２、３）の側部から延出する平面内面部（６Ａ）に各々接続されたつる部（１１）と、よりなるアイマスクにおいて、前記第１、第２眼マスク部（２、３）の平面内面部（６Ａ）に手前方向に突出する一対の遮光壁（１６）を形成することを特徴とするアイマスク。
【請求項２】
前記連結部（１Ａ）の各根元部（１Ａａ）が接続される前記第１、第２眼マスク部（２、３）の輪状縁部（６）の内側に各鼻当部（１７）を形成することを特徴とする請求項１記載のアイマスク。
【請求項３】
前記遮光壁（１６）と前記鼻当部（１７）とが前記第１、第２眼マスク部（２、３）に水平方向に配列された複数の小孔（４）の両側方になるよう配置したことを特徴とする請求項２記載のアイマスク。